(57)【要約】【課題】従来にない遊技を遊技者が楽しむことのできる遊技性の高い遊技機を提供する。【解決手段】振分部材８８に、２個の遊技球を受け入れ可能な第１の球受け部７１を設けた。また、進入口８１からＶ入賞口８７までの間に２つの振分部材８８、８８を設置した。したがって、第１の振分部材８８では上手く第１の球受け部７１に受け入れられたとしても、第２の振分部材８８でアウト口８９へ送られる可能性があったり、たとえば一度に２個の遊技球が進入口から進入すると２個とも第１の球受け部７１に受け入れられて下流側へ送られる可能性があったりと言ったような斬新な態様で遊技球が振り分けられる遊技を遊技者に提供することができる。【選択図】図４
2017221261.tif 000002
【特許請求の範囲】
【請求項１】
遊技球が進入可能な進入口と、前記進入口から下方へ延びる遊技球流路と、前記遊技球流路の下流端から排出された遊技球が入賞可能な入賞口とが備えられているとともに、
前記遊技球流路の中間位置に、遊技球を受け入れ可能な複数の球受け部が周面に設けられ、前後方向を中心として所定方向へ回転しており、前記球受け部のうち第１の球受け部に遊技球を受け入れると、当該遊技球を前記遊技球流路の下流側へ送る一方、第２の球受け部に遊技球を受け入れると、当該遊技球をアウト口へ送る第１の振分手段が備えられた遊技機であって、
前記第１の球受け部は、複数個の遊技球を受け入れ可能とされている一方、前記第２の球受け部は、１個の遊技球を受け入れ可能とされているとともに、
前記遊技球流路における前記第１の振分手段と前記遊技球流路の下流端との間となる位置に、遊技球を前記遊技球流路の下流側へ送るか、それともアウト口へ送るかで振り分ける第２の振分手段が備えられていることを特徴とする遊技機。
【請求項２】
前記第１の振分手段よりも上流側の前記遊技球流路の表面には、遊技球の流下態様に影響を及ぼす第１の加工が施されている一方、前記第１の振分手段と前記第２の振分手段との間の前記遊技球流路の表面には、前記第１の加工とは異なる第２の加工が施されており、
前記第１の振分手段の前後で遊技球の流下態様が異なることを特徴とする請求項１に記載の遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機には、円柱状に成形された本体の周面に複数の球受け部を有する振分手段が、本体の中心を軸として一方向へ回転するように備えられたものがある。そして、そのような振分手段を備えたパチンコ機では、複数の球受け部のうち所定の球受け部に遊技球が入り込むと有利な状況になる一方、その他の球受け部に入り込むと有利な状況にならないといったような遊技を提供するようになっている（たとえば特許文献１）。
【先行技術文献】
【特許文献】
【０００３】
【特許文献１】特開２０１０−９４３２５号公報
【発明の概要】
【発明が解決しようとする課題】
【０００４】
しかしながら、上記従来の遊技機では、振分手段における遊技球の振分態様を始めとして、振分手段を用いた遊技に目新しさがなく、新たな遊技が求められている。
【０００５】
そこで、本発明は、従来にない遊技を遊技者が楽しむことのできる遊技性の高い遊技機を提供しようとするものである。
【課題を解決するための手段】
【０００６】
上記目的を達成するために、本発明のうち請求項１に記載の発明は、遊技球が進入可能な進入口と、前記進入口から下方へ延びる遊技球流路と、前記遊技球流路の下流端から排出された遊技球が入賞可能な入賞口とが備えられているとともに、前記遊技球流路の中間位置に、遊技球を受け入れ可能な複数の球受け部が周面に設けられ、前後方向を中心として所定方向へ回転しており、前記球受け部のうち第１の球受け部に遊技球を受け入れると、当該遊技球を前記遊技球流路の下流側へ送る一方、第２の球受け部に遊技球を受け入れると、当該遊技球をアウト口へ送る第１の振分手段が備えられた遊技機であって、前記第１の球受け部は、複数個の遊技球を受け入れ可能とされている一方、前記第２の球受け部は、１個の遊技球を受け入れ可能とされているとともに、前記遊技球流路における前記第１の振分手段と前記遊技球流路の下流端との間となる位置に、遊技球を前記遊技球流路の下流側へ送るか、それともアウト口へ送るかで振り分ける第２の振分手段が備えられていることを特徴とする。
請求項２に記載の発明は、請求項１に記載の発明において、前記第１の振分手段よりも上流側の前記遊技球流路の表面には、遊技球の流下態様に影響を及ぼす第１の加工が施されている一方、前記第１の振分手段と前記第２の振分手段との間の前記遊技球流路の表面には、前記第１の加工とは異なる第２の加工が施されており、前記第１の振分手段の前後で遊技球の流下態様が異なることを特徴とする。
【発明の効果】
【０００７】
本発明によれば、遊技球を遊技球流路の下流側へ送る第１の球受け部について、複数個の遊技球を受け入れ可能としている。また、遊技球流路における第１の振分手段と遊技球流路の下流端との間となる位置に、遊技球を遊技球流路の下流側へ送るか、それともアウト口へ送るかで振り分ける第２の振分手段を備えている。このように第１の振分手段において複数個の遊技球を受け入れ可能な球受け部を設けたり、遊技球流路の中間位置に２つの振分手段を設けたりといった従来にない構成を採用しているため、第１の振分手段では上手く第１の球受け部に受け入れられたとしても、第２の振分手段でアウト口へ送られる可能性があったり、たとえば一度に２個の遊技球が進入口から進入すると、２個とも第１の球受け部に受け入れられて下流側へ送られる可能性があったりと言ったような斬新な態様で遊技球が振り分けられる遊技を遊技者に提供することができる。
また、請求項２に記載の発明によれば、第１の振分手段よりも上流側の遊技球流路の表面に、遊技球の流下態様に影響を及ぼす第１の加工を施す一方、第１の振分手段と第２の振分手段との間の遊技球流路の表面に、第１の加工とは異なる第２の加工を施し、第１の振分手段の前後で遊技球の流下態様を異ならせるため、遊技球流路内における遊技球の流下態様についても斬新な遊技とすることができる上、遊技球が第１の振分手段を上手く通過したことを強調することができ、遊技者の興趣を一層高めることができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】センター部材を前面側から示した説明図である。
【図５】（ａ）は振分部材を前面側から示した説明図であり、（ｂ）はクルーン部材を上面側から示した説明図である。
【図６】（ａ）は第１流路の表面を、（ｂ）は第２流路の表面を、（ｃ）は第３流路の表面を夫々示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、遊技盤２を前面側から示した説明図である。図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の中央稍上寄りとなる位置には、遊技球が入賞可能な始動入賞口１９が設けられている。さらに、始動入賞口１９の下方には、遊技球が進入可能な進入口８１、進入口８１を開閉する一対の扉部材８２、８２、進入口８１から下方へ延びる第１流路８３〜第４流路８６からなる遊技球流路、遊技球が入賞可能なＶ入賞口８７、及び遊技球流路の中間位置に設けられ、遊技球をＶ入賞口８７側へ進めさせるか否かを振り分ける振分部材８８、８８等を備えたセンター部材２６が設置されている。なお、センター部材２６には、「１」〜「９」の数字からなる装飾図柄を変動／確定表示するための演出用表示部６も設けられている。
【００１２】
また、センター部材２６の右方には、遊技球が通過可能なゲート部材２０、一対の可動片を有するチューリップ式電動役物１７、所謂大当たり状態において交互に開閉する２つの可動入賞装置１８Ａ、１８Ｂが設置されている。さらに、遊技領域１６外となる遊技盤２の右下部には、第１特別図柄及び第２特別図柄を夫々別個に表示可能とした特別図柄表示部８０が設けられている。なお、遊技領域１６内には、図示しない多数の遊技釘が植設されているとともに、遊技球を左右に転動させるためのステージ（図示せず）を始め、他の遊技部材も設置されている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に操作可能な遊技ボタン２５が設けられている。
【００１４】
さらに、前扉４の上縁部、及び供給皿７の前面で遊技ボタン２５の左右両側となる位置には、効果音等を報音するスピーカ１４、１４・・が設けられている。加えて、前扉４の左右両側部や上縁部には、パチンコ機１の遊技状態等に応じて点灯・点滅する複数のＬＥＤを内蔵したランプ部材１５、１５・・が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１６】
以上のようなパチンコ機１では、遊技状態は当初通常状態にあり、遊技者はハンドル９を回動操作して発射装置１０を作動させ、発射通路１３を介して遊技球を遊技領域１６内へ打ち込み、遊技球の始動入賞口１９への入賞を狙う。そして、始動入賞口１９への遊技球の入賞検知に起因して実行されるチャンス当たり抽選の結果が「チャンス当たり」になると、特別図柄表示部８０及び演出用表示部６に夫々所定の「チャンス図柄」が確定表示される（たとえば、演出用表示部６では「３」と確定表示される）。また、「チャンス図柄」が確定表示されると、扉部材８２、８２が所定時間にわたり開動作するといった「チャンス状態」が生起する。そこで、遊技者は、開放される進入口８１を介して、遊技球のセンター部材２６内への進入を狙う。そして、センター部材２６内へ進入した遊技球がＶ入賞口８７に入賞すると、可動入賞装置１８Ａ、１８Ｂを夫々１回ずつ開成させるといった所謂「大当たり状態」が生起する。したがって、遊技者は、開成する可動入賞装置１８Ａ、１８Ｂへの遊技球の入賞を狙うことになる。なお、始動入賞口１９へ遊技球が入賞した場合、特別図柄表示部８０では第１特別図柄を変動／確定表示させる。
【００１７】
また、大当たり状態が終了すると、ゲート部材２０への遊技球の通過検知に起因して実行される所謂当たり抽選の結果が「当たり」となりやすく、チューリップ式電動役物１７が頻繁に開状態となって遊技球の入賞が可能となるとともに、チューリップ式電動役物１７への入賞検知に起因して実行される大当たり抽選の結果が「大当たり」となりやすい所謂確変状態が生起する。そこで、遊技者は、ゲート部材２０への遊技球の通過、及び頻繁に開状態となるチューリップ式電動役物１７への遊技球の入賞を狙う。また、チューリップ式電動役物１７への遊技球の入賞に応じて実行された大当たり抽選の結果が「大当たり」になると、特別図柄表示部８０及び演出用表示部６に「大当たり図柄」が確定表示され、可動入賞装置１８Ａ、１８Ｂを夫々１回ずつ開成させる「大当たり状態」が再び生起する。なお、チューリップ式電動役物１７へ遊技球が入賞した場合、特別図柄表示部８０では第２特別図柄を変動／確定表示させる。
【００１８】
そして、上記「大当たり状態」の終了後に生起する確変状態の生起回数が所定回数（たとえば１０回）に達し、所定回数目の確変状態における「大当たり図柄」の確定表示に伴い生起した「大当たり状態」が終了すると、確変状態を生起させることなく、ゲート部材２０への遊技球の通過検知に起因して実行される当たり抽選の結果が「当たり」となりにくく（或いは「当たり」とならず）、チューリップ式電動役物１７がほぼ開状態とならない（或いは開状態になることがない）上、大当たり抽選の結果が「大当たり」となりにくい遊技開始当初の通常状態へ復帰する。そのため、遊技者は、始動入賞口１９への遊技球の入賞を狙う上記遊技へと戻る。
【００１９】
さらに、センター部材２６の振分部材８８は、センター部材２６へ遊技球が進入した／しないや、遊技状態が通常状態／確変状態の何れであるか等に拘わらず、電源投入時から一定速度で常に回転している。そして、センター部材２６へ進入した遊技球が振分部材８８へ到達すると、到達時の振分部材８８の回転姿勢等によって、遊技球を更に下流側へ流下させたり、アウト口８９から遊技領域１６外（すなわち遊技盤２の後面側）へ排出させたりと遊技球を振り分ける。
【００２０】
（振分部材の説明）
ここで、本発明の要部となる振分部材８８について、図４〜図６にもとづき詳細に説明する。
図４は、センター部材２６を前面側から示した説明図である。図５（ａ）は振分部材８８を前面側から示した説明図であり、図５（ｂ）はクルーン部材９０を上面側から示した説明図である。図６（ａ）は第１流路８３の表面を、図６（ｂ）は第２流路８４の表面を、図６（ｃ）は第３流路８５の表面を夫々示した説明図である。
【００２１】
センター部材２６は、内部を遊技球が流下可能とされた遊技部材であって、自身の内部へ遊技球を進入させる進入口８１には、上述したように扉部材８２、８２が設けられている。この扉部材８２は、左右方向へ延びる板状部材であって、遊技盤２の表面から前方へ突出する突出位置と、遊技盤２の表面内へ埋入する退避位置との間を前後方向へスライド自在とされている。そして、そのような扉部材８２、８２が突出位置にあると、進入口８１が閉塞されて遊技球のセンター部材２６内への進入が阻止される一方、退避位置側へのスライドをもって進入口８１が開放され、遊技球のセンター部材２６内への進入が許容されるようになっている。
【００２２】
さらに、扉部材８２、８２の上面は、中央側から左右外側へ向かって下降傾斜する傾斜面とされており、扉部材８２、８２上で遊技球が滞留しないようになっている。ただ、扉部材８２、８２の上面を傾斜面に成形することで、遊技球が扉部材８２、８２上を左右方向へ転動しやすい、すなわち遊技球が進入口８１の直上に位置する時間を長く稼ぐことができるため、扉部材８２、８２が退避位置側へスライドした際、複数個の遊技球がセンター部材２６内へ進入する状況が起こりやすくなる。
【００２３】
また、上述したような進入口８１の下方には、上面が右側へ向かって下降傾斜する第１流路８３が設けられている。さらに、第１流路８３の下方には、左側へ向かって下降傾斜する第２流路８４が設けられ、第２流路８４の下方には、再度右側へ向かって下降傾斜する第３流路８５が設けられている。そして、第２流路８４の下流端と第３流路８５の上流端との間（すなわち、遊技球流路の中間位置）に、第１の振分部材８８が設けられている。
【００２４】
第１の振分部材８８は、正面視円形に成形されたブロック体を本体として、その本体の周面に、第１の球受け部７１と第２の球受け部７２との２つの球受け部が設けられてなる。第１の球受け部７１は、本体の周面から中央へ向かって長く切り込まれた周面側に開口するＵ字溝として形成されており、遊技球を２個まで受け入れ可能となっている。一方、第２の球受け部７２は、第１の球受け部７１よりも短く切り込まれたＵ字溝として形成されており、遊技球を１個のみ受け入れ可能となっている。また、第１の球受け部７１の後端側は壁で閉塞されている一方、第２の球受け部７２の後端側は開放されている。したがって、第１の球受け部７１に受け入れられた遊技球は、第３流路８５の上流端まで運ばれるものの、第２の球受け部７２に受け入れられた遊技球は、振分部材８８の後側へ流れてセンター部材２６外へ、ひいては遊技盤２の後側へ排出される。すなわち、第２の球受け部７２はアウト口８９として機能するようになっている。
【００２５】
そして、上記第１の振分部材８８は、前後方向を軸として正面視で左回りに回転している。したがって、第２流路８４を流下してきた遊技球は、第１の球受け部７１が第２流路８４よりも下側にある間に第２流路８４の下流端に到達すると、第１の振分部材８８の周面で塞き止められた後、第１の球受け部７１が第２流路８４の下流端側を向いたことをもって、第１の球受け部７１内に受け入れられる。その後、第１の球受け部７１内に受け入れられた遊技球は、第１の振分部材８８の回転に伴い第３流路８５の上流端に排出される。一方、第２の球受け部７２が第２流路８４よりも下側にある間に第２流路８４の下流端に到達すると、第１の振分部材８８の周面で塞き止められた後、第２の球受け部７２が第２流路８４の下流端側を向いたことをもって、第２の球受け部７２内に受け入れられる。そして、第２の球受け部７２内に受け入れられた遊技球は、第３流路８５の上流端に排出されることなく、アウト口８９を介して遊技盤２の後側へ排出される。
【００２６】
また、第３流路８５の下方には、再度左側へ向かって下降傾斜する第４流路８６が設けられている。そして、第３流路８５の下流端と第４流路８６の上流端との間（すなわち、遊技球流路における第１の振分部材８８と遊技球流路の下流端との間となる位置）に、第２の振分部材８８が設けられている。この第２の振分部材８８は、第１の振分部材８８と同じもので、第１の球受け部７１と第２の球受け部７２とを備えており、前後方向を軸として正面視で右回りに回転している。
【００２７】
したがって、第３流路８５を流下してきた遊技球は、第１の球受け部７１が第３流路８５よりも下側にある間に第３流路８５の下流端に到達すると、第２の振分部材８８の周面で塞き止められた後、第１の球受け部７１が第３流路８５の下流端側を向いたことをもって、第１の球受け部７１内に受け入れられる。その後、第１の球受け部７１内に受け入れられた遊技球は、第２の振分部材８８の回転に伴い第４流路８６の上流端に排出される。一方、第２の球受け部７２が第３流路８５よりも下側にある間に第３流路８５の下流端に到達すると、第２の振分部材８８の周面で塞き止められた後、第２の球受け部７２が第３流路８５の下流端側を向いたことをもって、第２の球受け部７２内に受け入れられる。そして、第２の球受け部７２内に受け入れられた遊技球は、第４流路８６の上流端に排出されることなく、アウト口８９を介して遊技盤２の後側へ排出される。
【００２８】
さらに、センター部材２６の底部であって、第４流路８６の下流端の下方には、４つのアウト口８９、８９・・と１つのＶ入賞口８７とを備えたクルーン部材９０が設置されている。したがって、センター部材２６内へ進入した遊技球が第４流路８６まで到達すると、クルーン部材９０へ向かって排出され、アウト口８９、８９・・とＶ入賞口８７との何れかへ進入することになる。
【００２９】
なお、第１流路８３の表面には、図６（ａ）に示すように前後へ蛇行する溝８３ａが設けられており、当該第１流路８３を流下する遊技球は、溝８３ａに沿って前後しながら移動するようになっている。また、第２流路８４の表面には、図６（ｂ）に示すように前後方向での中央部を左右方向へ延びる突条８４ａが設けられており、該突条８４ａによって前側の流路８４ｂと後側の流路８４ｃとに区切られている。そして、第２流路８４を流下する遊技球は、流路８４ｂと流路８４ｃとの何れかに沿って直線的に移動するようになっている。さらに、第３流路８５の表面は、図６（ｃ）に示すように右側へむかって下る階段状に形成されており、当該第３流路８５を流下する遊技球は、階段を転がり落ちるようにして移動するようになっている。
【００３０】
また、遊技球流路の裏側（後側）となる位置には、回転体７３が設置されている。回転体７３は、中心部から放射状に延びる４つの舌片を有しており、各舌片の先端に磁石７４が取り付けられている。そして、回転体７３は、前後方向を軸として正面視で右回りに回転しており、磁石７４、７４・・の前を通過する遊技球に対して、その流下速度に影響を及ぼすようになっている。特に、第１流路８３で溝８３ａにより後側へ誘導された際や、第２流路８４で流路８４ｃを流下する際に、磁石７４、７４・・が遊技球の後側を通過すると、より強い影響を及ぼすことになる。
【００３１】
以上のように構成されるセンター部材２６に１個の遊技球が進入すると、その遊技球は、第１流路８３及び第２流路８４を流下し、第１の振分部材８８に到達する。そして、１／２の確率で第１の球受け部７１に受け入れられると、第３流路８５へ送られ、第２の振分部材８８に到達する。ここでもまた１／２の確率で第１の球受け部７１に受け入れられると、第４流路８６へ送られて最終的にクルーン部材９０に至り、Ｖ入賞口８７への入賞を狙う抽選をうけることができる。
【００３２】
また、一度に２個の遊技球がセンター部材２６に進入すると、第１の振分部材８８に２個の遊技球が到達する。そのため、第１の球受け部７１が回ってくると、２個とも第１の球受け部７１に受け入れられて第３流路８５へ送られる。一方、たとえ第２の球受け部７２が回ってきたとしても、１個目の遊技球しかアウト口８９へ進入しないため、２個目の遊技球については、次に回ってくる第１の球受け部７１に受け入れられて第３流路８５へ送られることになる。また、第２の振分部材８８についても同様であり、２個の遊技球が到達すると、少なくとも１個は第４流路８６、ひいてはクルーン部材９０へと送ることができる。したがって、一度に２個の遊技球がセンター部材２６に進入すると、１／２の確率で、必ずＶ入賞口８７への入賞を狙う抽選をうけることができる状況となる。
【００３３】
（本実施形態のパチンコ機による効果）
以上のような構成を有するパチンコ機１によれば、振分部材８８に、２個の遊技球を受け入れ可能な第１の球受け部７１を設けている。したがって、一度に２個の遊技球がセンター部材２６内へ進入した場合に２個とも下流側へ送られる可能性があるといった従来にない斬新な遊技を遊技者に提供することができる。
【００３４】
また、進入口８１からＶ入賞口８７までの間に２つの振分部材８８、８８を設置している。したがって、たとえばセンター部材２６内へ進入した遊技球が、第１の振分部材８８では上手く第１の球受け部７１に受け止められたものの、第２の振分部材８８では第２の球受け部７２に受け止められてしまい、アウト口８９から排出されてしまった等、遊技球が多段階で振り分けられることになり、一層目新しい遊技を遊技者に提供することができる。
【００３５】
さらに、第１流路８３の表面と、第２流路８４の表面と、第３流路８５の表面とに夫々別の加工を施し、各流路８３〜８５毎に遊技球の流下態様が異なるようにしている。したがって、遊技球流路内における遊技球の流下態様についても斬新な遊技を遊技者に提供することができる。また、特に第１の振分部材８８の前後で遊技球の流下態様が異なることで、遊技球が第１の振分部材８８を上手く通過したことを強調することができ、遊技者の興趣を一層高めることができる。
【００３６】
（本発明の変更例について）
なお、本発明の遊技機に係る構成は、上記実施形態に何ら限定されるものではなく、遊技機全体の構成は勿論、振分手段や遊技球流路等に係る構成についても、本発明の趣旨を逸脱しない範囲で必要に応じて適宜変更可能である。
【００３７】
たとえば、上記実施形態では、第２の振分手段として第１の振分手段と同じもの（ただし回転方向は異なっている）を採用しているが、構造が全く異なる振分手段（たとえばシーソータイプのもの等）を採用することも可能である。
また、第１の振分手段の回転方向について、上記実施形態とは逆方向へ回転させてもよいことは言うまでもない。
【００３８】
さらに、遊技球流路の形態についても、上記実施形態のような第１〜第４流路により構成されるものに何ら限定されることはなく、適宜設計変更可能である。
さらにまた、各流路の表面に、遊技球の流下態様に影響を及ぼす加工を施すか否か、また施すにあたってはどのような加工を施すのかについても適宜設計変更可能であり、上記実施形態のものに何ら限定されることはない。
【００３９】
また、上記実施形態では、遊技球が遊技球流路の下流端まで到達したとしても入賞口ではなくアウト口に進入する可能性があるように構成しているが、遊技球流路の下流端まで到達すると必ず入賞口に入賞するように構成する（すなわち、遊技球流路の下流端の先にはアウト口を設けない）ことも可能である。
さらに、入賞口が設けられたクルーン部材について、上下方向を軸として回転させるように構成することも可能である。
【００４０】
さらにまた、上記実施形態では、遊技球の入賞をもって大当たり状態が生起するＶ入賞口を設けるとしているが、Ｖ入賞口ではなく、たとえば遊技球の入賞をもって大当たり抽選がなされる始動入賞口等、他の入賞口であってもよい。
またさらに、上記実施形態では入賞口を１つしか設けていないが、複数設けることも可能である。
【００４１】
加えて、上記実施形態では、遊技機の一例であるパチンコ機について説明しているが、本発明は、たとえば封入式パチンコ機等といった他の遊技機として構成することも当然可能である。
なお、特許請求の範囲、明細書および図面に記載される全ての要素（例えば、進入口、遊技球流路、入賞口、アウト口、球受け部、及び振分手段等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００４２】
１・・パチンコ機、７１・・第１の球受け部、７２・・第２の球受け部、８１・・進入口、８３・・第１流路（遊技球流路）、８４・・第２流路（遊技球流路）、８５・・第３流路（遊技球流路）、８６・・第４流路（遊技球流路）、８７・・Ｖ入賞口（入賞口）、８８・・振分部材（振分手段）、８９・・アウト口。
【図１】
2017221261.tif 000003
【図２】
2017221261.tif 000004
【図３】
2017221261.tif 000005
【図４】
2017221261.tif 000006
【図５】
2017221261.tif 000007
【図６】
2017221261.tif 000008